(57)【要約】【課題】撮影漏れなく被写体を撮影できるようにする。【解決手段】シャッターキーが操作されると、撮影処理を実行する（ステップＳ１０３）。この撮影画像から、顔画像を抽出し（ステップＳ１０４）、この抽出した顔画像が顔画像登録テーブルに登録されている顔画像であるか否かを判断する（ステップＳ１０６）。今回の撮影画像中に登録顔画像が含まれている場合には、顔画像登録テーブルにおいて、含まれていると判断された登録顔画像の撮影済みフラグＦをＯＮにする（ステップＳ１０７）。また、顔画像登録テーブルにおいて撮影済みフラグＦがＯＦＦとなっている登録顔画像である未撮影顔画像を検出し（ステップＳ１０８）、この検出した未撮影顔画像を表示部１４に表示する（ステップＳ１０９）。これを視認したユーザには、未撮影者を優先して撮影しようと意識し、撮影漏れなく予め登録した者全員の撮影を行うことができる。【選択図】図４
2011004409.tif 000002
【特許請求の範囲】
【請求項１】
被写体を記憶する被写体記憶手段と、
順次撮像する撮像手段と、
操作に応答して、前記撮像手段により撮像された画像を記録する画像記録手段と、
この画像記録手段において、前記被写体記憶手段に記憶されている被写体を含む画像の記録状況を検出する検出手段と、
この検出手段による検出結果を表示する表示手段と
を備えることを特徴とする撮像装置。
【請求項２】
前記被写体記憶手段は、複数の被写体を個々に記憶し、
前記表示手段は、前記検出手段の検出結果を前記被写体に対応させて表示することを特徴とする請求項１記載の撮像装置。
【請求項３】
前記検出手段は、前記画像記録手段に、前記被写体記憶手段に記憶されている被写体を含む画像が記憶されているか否かを検出し、
前記表示手段は、前記検出手段による前記被写体を含む画像が記憶されているか否かの検出結果を表示することを特徴とする請求項１又は２記載の撮像装置。
【請求項４】
前記検出手段は、前記画像記録手段において、前記被写体記憶手段に記憶されている被写体を含む画像の枚数を検出し、
前記表示手段は、前記検出手段により検出された画像の枚数を表示することを特徴とする請求項１又は２記載の撮像装置。
【請求項５】
前記表示手段は、前記操作に応答して前記画像記録手段に前記画像が記録される毎に、前記表示を実行することを特徴とする請求項１から４にいずれか記載の撮像装置。
【請求項６】
前記表示手段は、前記撮像手段により撮像される画像に基づきスルー画像を表示するとともに、このスルー画像中における前記被写体記手段に記憶された被写体に対応させて、前記表示を実行することを特徴とする請求項１から４にいずれか記載の撮像装置。
【請求項７】
前記表示手段は、前記スルー画像中に前記被写体記憶手段に記憶されていない被写体が存在する場合において、当該被写体に対応させて未記憶であることを示す表示を実行することを特徴とする請求項７記載の撮像装置。
【請求項８】
前記検出手段は、前記画像記録手段において、前記被写体記憶手段に記憶されている複数の被写体の組合せを含む画像の枚数を検出し、
前記表示手段は、前記検出手段により検出された画像の枚数を前記複数の被写体組合せに対応させて表示することを特徴とする請求項２記載の撮像装置。
【請求項９】
前記検出手段は、更に前記画像記録手段において、前記被写体記憶手段に記憶されている単独の被写体を含む画像の枚数を検出し、
前記表示手段は、更に前記検出手段により検出された画像の枚数を前記単独の被写体に対応させて表示することを特徴とする請求項８記載の撮像装置。
【請求項１０】
被写体を記憶する被写体記憶手段と、
順次撮像する撮像手段と、
画像を記録する画像記録手段と、
この画像記録手段に、前記被写体記憶手段に記憶されている被写体を含む画像が記憶されているか否かを判断する第１の判断手段と、
前記撮像手段により順次撮像される画像中に、前記前記被写体記憶手段に記憶されている被写体が存在するか否かを判断する第２の判断手段と、
この第２の判断手段により前記被写体が存在すると判断された場合であって、前記第１の判断手段により前記画像記録手段に当該被写体を含む画像が記憶されていないと判断された場合、前記撮像手段により撮像された画像を取得して、前記画像記録手段に記録させる記録制御手段と
を備えることを特徴とする撮像装置。
【請求項１１】
前記被写体記憶手段は、複数の被写体を個々に記憶することを特徴とする請求項１０記載の撮像装置。
【請求項１２】
前記記録制御手段は、前記撮像手段により撮像された画像中における前記被写体が所定の形態であるか否かをする形態判断手段を備え、
この姿勢判断手段により前記所定の形態であると判断された場合に、前記撮像手段により撮像された画像を取得して、前記画像記録手段に記録させることを特徴とする請求項１０又は１１記載の撮像装置。
【請求項１３】
操作に応答して、前記撮像手段により撮像された画像を取得する取得手段と、
この取得手段により取得された画像から前記被写体を抽出して前記被写体記憶手段に記憶させる記憶制御手段と
を備えることを特徴とする請求項１から１２にいずれか記載の撮像装置。
【請求項１４】
前記表示手段は、前記被写体記憶手段に記憶された被写体を一覧表示することを特徴とする請求項１３記載の撮像装置。
【請求項１５】
被写体を記憶する被写体記憶手段と、順次撮像する撮像手段と、操作に応答して、前記撮像手段により撮像された画像を記録する画像記録手段とを備える撮像装置が有するコンピュータを、
前記画像記録手段において、前記被写体記憶手段に記憶されている被写体を含む画像の記録状況を検出する検出手段と、
この検出手段による検出結果を表示させる表示制御手段と
して機能させることを特徴とする表示制御プログラム。
【請求項１６】
被写体を記憶する被写体記憶手段と、順次撮像する撮像手段と、操作に応答して、前記撮像手段により撮像された画像を記録する画像記録手段とを備える撮像装置における表示制御方法であって、
前記画像記録手段において、前記被写体記憶手段に記憶されている被写体を含む画像の記録状況を検出する検出ステップと、
この検出ステップによる検出結果を表示する表示ステップと
を含むことを特徴とする表示制御方法。
【請求項１７】
撮像された被写体毎に撮影履歴を記憶し、前記被写体毎の撮影履歴を表示することを特徴とする表示制御方法。
【発明の詳細な説明】
【技術分野】
【０００１】
本発明は、予め被写体を登録して撮影を行う撮像装置、この撮像装置に用いられる表示制御プログラム及び表示制御方法に関する。
【背景技術】
【０００２】
従来、特許文献１記載のカメラが知られている。このカメラは、撮影レンズを全域に渡って駆動し、コントラスト法により複数の焦点評価値のピークを検出し、それに対応する各レンズ位置で撮影を行う。したがって、パーティでのスナップ写真や集合写真等において、カメラからの距離が各々異なる位置に複数の人が存在するシーンを撮影する場合であっても、前記各レンズ位置での撮影により、各人の顔にピントが合った写真を撮影することが可能となるものである（例えば、特許文献１参照。）。
【先行技術文献】
【特許文献】
【０００３】
【特許文献１】特開２００３−１１４３７８号公報
【発明の概要】
【発明が解決しようとする課題】
【０００４】
このように、前述した従来のカメラを用いると、パーティでのスナップ写真や集合写真等において各人の顔にピントが合った写真を撮影することができる。しかし、当該パーティに参加した全員の写真を撮影したか否かは、撮影者の記憶に頼る以外にない。このため、撮影したいずれの写真にも写っていない参加者がいる撮影漏れが生じてしまい、この撮影漏れという課題を解決できるものではなかった。
【０００５】
本発明は、かかる従来の課題に鑑みてなされたものであり、撮影漏れなく被写体を撮影できるようにした撮像装置、表示制御プログラム及び表示制御方法を提供することを目的とする。
【課題を解決するための手段】
【０００６】
前記課題を解決するため請求項１記載の発明に係る撮像装置にあっては、被写体を記憶する被写体記憶手段と、順次撮像する撮像手段と、操作に応答して、前記撮像手段により撮像された画像を記録する画像記録手段と、この画像記録手段において、前記被写体記憶手段に記憶されている被写体を含む画像の記録状況を検出する検出手段と、この検出手段による検出結果を表示する表示手段とを備えることを特徴とする。
【０００７】
また、請求項２記載の発明に係る撮像装置にあっては、前記被写体記憶手段は、複数の被写体を個々に記憶し、前記表示手段は、前記検出手段の検出結果を前記被写体に対応させて表示することを特徴とする。
【０００８】
また、請求項３記載の発明に係る撮像装置にあっては、前記検出手段は、前記画像記録手段に、前記被写体記憶手段に記憶されている被写体を含む画像が記憶されているか否かを検出し、前記表示手段は、前記検出手段による前記被写体を含む画像が記憶されているか否かの検出結果を表示することを特徴とする。
【０００９】
また、請求項４記載の発明に係る撮像装置にあっては、前記検出手段は、前記画像記録手段において、前記被写体記憶手段に記憶されている被写体を含む画像の枚数を検出し、前記表示手段は、前記検出手段により検出された画像の枚数を表示することを特徴とする。
【００１０】
また、請求項５記載の発明に係る撮像装置にあっては、前記表示手段は、前記操作に応答して前記画像記録手段に前記画像が記録される毎に、前記表示を実行することを特徴とする。
【００１１】
また、請求項６記載の発明に係る撮像装置にあっては、前記表示手段は、前記撮像手段により撮像される画像に基づきスルー画像を表示するとともに、このスルー画像中における前記被写体記手段に記憶された被写体に対応させて、前記表示を実行することを特徴とする。
【００１２】
また、請求項７記載の発明に係る撮像装置にあっては、前記表示手段は、前記スルー画像中に前記被写体記憶手段に記憶されていない被写体が存在する場合において、当該被写体に対応させて未記憶であることを示す表示を実行することを特徴とする。
【００１３】
また、請求項８記載の発明に係る撮像装置にあっては、前記検出手段は、前記画像記録手段において、前記被写体記憶手段に記憶されている複数の被写体の組合せを含む画像の枚数を検出し、前記表示手段は、前記検出手段により検出された画像の枚数を前記複数の被写体組合せに対応させて表示することを特徴とする。
【００１４】
また、請求項９記載の発明に係る撮像装置にあっては、前記検出手段は、更に前記画像記録手段において、前記被写体記憶手段に記憶されている単独の被写体を含む画像の枚数を検出し、前記表示手段は、更に前記検出手段により検出された画像の枚数を前記単独の被写体に対応させて表示することを特徴とする。
【００１５】
また、請求項１０記載の発明に係る撮像装置にあっては、被写体を記憶する被写体記憶手段と、順次撮像する撮像手段と、画像を記録する画像記録手段と、この画像記録手段に、前記被写体記憶手段に記憶されている被写体を含む画像が記憶されているか否かを判断する第１の判断手段と、前記撮像手段により順次撮像される画像中に、前記前記被写体記憶手段に記憶されている被写体が存在するか否かを判断する第２の判断手段と、この第２の判断手段により前記被写体が存在すると判断された場合であって、前記第１の判断手段により前記画像記録手段に当該被写体を含む画像が記憶されていないと判断された場合、前記撮像手段により撮像された画像を取得して、前記画像記録手段に記録させる記録制御手段とを備えることを特徴とする。
【００１６】
また、請求項１１記載の発明に係る撮像装置にあっては、前記被写体記憶手段は、複数の被写体を個々に記憶することを特徴とする。
【００１７】
また、請求項１２記載の発明に係る撮像装置にあっては、前記記録制御手段は、前記撮像手段により撮像された画像中における前記被写体が所定の形態であるか否かをする形態判断手段を備え、この姿勢判断手段により前記所定の形態であると判断された場合に、前記撮像手段により撮像された画像を取得して、前記画像記録手段に記録させることを特徴とする。
【００１８】
また、請求項１３記載の発明に係る撮像装置にあっては、操作に応答して、前記撮像手段により撮像された画像を取得する取得手段と、この取得手段により取得された画像から前記被写体を抽出して前記被写体記憶手段に記憶させる記憶制御手段とを備えることを特徴とする。
【００１９】
また、請求項１４記載の発明に係る撮像装置にあっては、前記表示手段は、前記被写体記憶手段に記憶された被写体を一覧表示することを特徴とする。
【００２０】
また、請求項１５記載の発明に係る表示制御プログラムにあっては、被写体を記憶する被写体記憶手段と、順次撮像する撮像手段と、操作に応答して、前記撮像手段により撮像された画像を記録する画像記録手段とを備える撮像装置が有するコンピュータを、前記画像記録手段において、前記被写体記憶手段に記憶されている被写体を含む画像の記録状況を検出する検出手段と、この検出手段による検出結果を表示させる表示制御手段として機能させることを特徴とする。
【００２１】
また、請求項１６記載の発明に係る表示制御方法にあっては、被写体を記憶する被写体記憶手段と、順次撮像する撮像手段と、操作に応答して、前記撮像手段により撮像された画像を記録する画像記録手段とを備える撮像装置における表示制御方法であって、前記画像記録手段において、前記被写体記憶手段に記憶されている被写体を含む画像の記録状況を検出する検出ステップと、この検出ステップによる検出結果を表示する表示ステップとを含むことを特徴とする。
【００２２】
また、請求項１７記載の発明に係る表示制御方法にあっては、撮像された被写体毎に撮影履歴を記憶し、前記被写体毎に撮影履歴を表示することを特徴とする。
【発明の効果】
【００２３】
本発明によれば、予定した被写体を撮影漏れなく撮影して記録することができる。
【図面の簡単な説明】
【００２４】
【図１】本発明の各実施の形態に共通するデジタルカメラのブロック図である。
【図２】顔登録モード処理における表示遷移図である。
【図３】顔登録モードの処理手順を示すフローチャートである。
【図４】本発明の第１の実施の形態における撮影モードの処理手順を示すフローチャートである。
【図５】同撮影モードにおける表示遷移図である。
【図６】本発明の第２の実施の形態における顔画像登録テーブルを示す概念図である。
【図７】同実施の形態における撮影モードの処理手順を示すフローチャートである。
【図８】本発明の第３の実施の形態における撮影モードの処理手順を示すフローチャートである。
【図９】同撮影モードにおける表示遷移図である。
【図１０】本発明の第４の実施の形態における撮影モードの処理手順を示すフローチャートである。
【図１１】同撮影モードにおける表示遷移図である。
【図１２】本発明の第５の実施の形態におけるメモリ構成を示す図である。
【図１３】同実施の形態における撮影モードの処理手順を示すフローチャートである。
【図１４】本発明の第６の実施の形態における撮影モードの処理手順を示すフローチャートである。
【図１５】同実施の形態の自動撮影時の状態を示す説明図である。
【発明を実施するための形態】
【００２５】
以下、本発明の一実施の形態を図にしたがって説明する。
（第１の実施の形態）
図１は、本発明の各実施の形態に共通するデジタルカメラ１のブロック図である。このデジタルカメラ１はＡＦ機能（オートフォーカス機能）を備えたものであって、フォーカスレンズ２、ズームレンズ３、ＣＣＤ４、ＣＤＳ／ＡＤブロック５、ＴＧ（Timing Generator）６、ＣＣＤデータ前処理ブロック７、色処理（ＣＰ）ブロック８、ＪＰＥＧ符号化器９、ＤＲＡＭ１０、内蔵のフラッシュメモリ１１、ＲＡＭ１２、ＣＰＵ１３、表示部１４、キーブロック１５、カード・インターフェイス１６、及びモータ駆動ブロック１７を備えており、カード・インターフェイス１６には、図示しないカメラ本体のカードスロットに着脱自在に装着されたメモリカード１８が接続されている。
【００２６】
フォーカスレンズ２及びズームレンズ３はそれぞれが図示しないレンズ群から構成されるものである。モータ駆動ブロック１７は、フォーカスレンズ２を光軸方向に駆動するフォーカスモータ１７０ａ、及びズームレンズ３を光軸方向に駆動するズームモータ１７０ｂと、ＣＰＵ１３から送られる制御信号に従いフォーカスモータ１７０ａ及びズームモータ１７０ｂをそれぞれ駆動するモータドライバ１７１ａ，１７１ｂとから構成されている。なお、フォーカスモータ１７０ａ及びズームモータ１７０ｂは共にステッピングモータである。
【００２７】
ＣＣＤ４は、フォーカスレンズ２とズームレンズ３を介して投影された被写体像を光電変換し撮像信号として出力する。ＴＧ６は、所定周波数のタイミング信号を生成してＣＣＤ４を駆動する。ＣＤＳ／ＡＤブロック５は、ＣＣＤ４からの出力信号をサンプリングしてノイズを除去しデジタル信号に変換する。ＣＣＤデータ前処理ブロック７は、デジタル信号に変換された撮像信号に対し輝度信号処理等のデータ処理を行う。色処理（ＣＰ）ブロック８は、輝度信号処理等が行われた画像信号に対して色分離等の色処理を行い、Ｙ，Ｃｂ，Ｃｒの画像データを生成する。ＤＲＡＭ１０は、色処理後のＹ，Ｃｂ，Ｃｒの画像データを逐次記憶する。
【００２８】
表示部１４は、カラーＬＣＤと、それを駆動する駆動回路等からなり、撮影モードが設定された状態でシャッターキーが押されていない撮影待機状態には、ＣＣＤ４から取り込まれＤＲＡＭ１０に蓄積された１フレーム（画面）分の画像データに基づくスルー画像を表示し、再生モードが設定された状態では、メモリカード１８から読み出されるとともに伸張された画像データに基づく記録画像を表示する。
【００２９】
ＪＰＥＧ符号化器９は、画像記録時（撮影処理時）には、色処理（ＣＰ）ブロック８から入力した画像データをＪＰＥＧ圧縮する。メモリカード１８は、カード・インターフェイス１６を介して送られた圧縮後の画像データを記録する。記録された画像データは、記録画像の再生時に読み出され、ＪＰＥＧ符号化器９により伸張された後、表示部１４において表示される。また、キーブロック１５は、撮影モード、再生モード、顔画像登録モード等の各種モードの切り替えに使用される切替キーや、ＳＥＴキー、シャッターキー、絞りやシャッター速度を設定するための設定キー、ズーム倍率の変更に使用されるズームキー等の各種の操作キーを含み、キー操作に応じた操作信号をＣＰＵ１３へ送る。また、シャッターキーは、所謂ハーフシャッタ機能を備えたものであり、撮影予告のための半押し操作と、撮影指示用の全押し操作が可能な構成である。
【００３０】
前記フラッシュメモリ１１には、ＣＰＵ１３によるデジタルカメラ１の制御、すなわちＡＦ制御、ＡＥ制御、ＡＷＢ制御等に必要なプログラムと各種データ、後述するフローチャートに示す制御を実行するための制御プログラム等が格納されており、ＣＰＵ１３は、キーブロック１５からの操作信号と前記プログラムに従いＲＡＭ１２を作業用メモリとして動作する。
【００３１】
さらに、フラッシュメモリ１１には、図２（Ｃ）に示す顔画像登録テーブル１１１が設けられている。この顔画像登録テーブル１１１には、顔画像を記憶するための登録領域が複数設けられているとともに、登録領域毎に撮影済みフラグＦが設けられている。この撮影済みフラグＦは、ＯＦＦの状態で当該領域に記憶されている登録顔画像を含む撮影画像がメモリカード１８に記録されていないことを示し、ＯＮの状態で当該登録顔画像を含む撮影画像がメモリカード１８に記録されたことを示す。
【００３２】
次に、以上の構成からなるデジタルカメラ１の本発明に係る動作を説明する。電源をオンにした後、キーブロック１５に設けられているモード切替キーを操作すると、表示部１４には図２（Ａ）に示すメニュー画面が表示される。このメニュー画面において「顔登録」を選択してＳＥＴキー操作すると、顔登録モードが設定される。すると、ＣＰＵ１３は、前記プログラムに従って動作することにより、図３のフローチャートに示すように処理を実行する。すなわち、ＣＣＤ４から取り込まれＤＲＡＭ１０に蓄積された１フレーム（画面）分の画像データに基づくスルー画像を表示部１４に表示する（ステップＳ１）。したがって、このときがユーザは撮影漏れなく撮影しようとする人物の顔にデジタルカメラ１を向けると、図２（Ｂ）に示すように、表示部１４には当該人物の顔画像Ｐ１が表示される。
【００３３】
次に、シャッターキーが操作されたか否かを判断し（ステップＳ２）、この状態でユーザがシャッターキーを操作すると、ステップＳ２の判断がＹＥＳとなる。したがって、ステップＳ２からステップＳ３に進み、顔画像抽出処理を実行する。
【００３４】
このステップＳ３での処理においては、シャッターキーの操作に伴ってＤＲＡＭ１０に保存した撮影画像から人体の顔部分である顔領域を抽出する。この顔領域の抽出に際しては、撮影画像中の肌色領域のＲＧＢ値、若しくはＨＳＶ値（色相：Ｈｕｅ、彩度：Ｓａｔｕｒａｔｉｏｎ、明度：Ｖａｌｕｅ  ｏｆ  Ｂｒｉｇｈｔｎｅｓｓ）などを元に、人間の顔の領域を検出する。例えば、肌色の色相（Ｈｕｅ）と彩度（Ｓａｔｕｒａｔｉｏｎ）の分布データをとると、肌色の画像データの多くは、彩度は広い範囲で分布するが、色相（Ｈｕｅ）環では、約６°〜３８°の範囲に多く分布することが知られている。これらを利用すれば、ＨＳＶ値から、色相（Ｈｕｅ）が約６°〜３８°の範囲の人間の顔の肌色とするなど、被写体の顔領域を検出することができる。そして、このようにして顔領域を検出したならば、この顔領域とその上部である頭部を含む全体を顔画像として抽出する。
【００３５】
なお、ステップＳ１０３での顔画像抽出処理は、上述した手法によることなく他の部分画像抽出手法を用いてもよい。
【００３６】
次に、ステップＳ３での抽出処理により顔画像が抽出されたか否かを判断し（ステップＳ４）、抽出されなかった場合にはステップＳ７に進む。抽出された場合には、顔画像登録処理を実行し、前記ステップＳ３で抽出した顔画像を前記顔画像登録テーブル１１１の空き登録領域に記憶させる（ステップＳ５）。したがって、このステップＳ５での処理により、図２（Ｃ）に示すように、顔画像登録テーブル１１１の空き登録領域には今回撮影した人物の顔画像Ｐ１が登録されることとなる。
【００３７】
引き続き、メッセージ表示処理を実行し（ステップＳ６）、図２（Ｄ）に示すような「顔の画像が登録されました」等のメッセージを表示部１４に表示させる。また、この顔登録モードから他のモードへのモード切替がなされたか否かを判断し（ステップＳ７）、モード切替がなされるまで、ステップＳ１〜ステップＳ７のループを繰り返す。したがって、ユーザがこの顔登録モードの状態で撮影を行うことにより、図２（Ｅ）に示すように、例えば７人の顔画像Ｐ１〜Ｐ７を顔画像登録テーブル１１１に登録することができる。
【００３８】
したがって、通常の撮影を行う場合と同様にシャッターキーを操作することにより、容易に顔画像の登録を行うことができる。
【００３９】
このようにして、家族や友人等の撮影漏れなく撮影しようとする人物の顔画像Ｐ１〜Ｐ７の登録を完了したならば、キーブロック１５での操作により、顔登録モードから他のモードへのモード切替を行う。これにより、ステップＳ７の判断がＹＥＳとなり、ステップＳ７からステップＳ８に進み、顔画像一覧表示処理を実行した後、このフローに従った処理を終了する。
【００４０】
このとき、前記ステップＳ８の顔画像一覧表示処理においては、図２（Ｅ）に示すように、顔画像登録テーブル１１１に登録された顔画像を表示部１４に一覧表示させる。したがって、ユーザはこの表示部１４に一覧表示された顔画像を見ることにより、撮影漏れなく撮影しようとする人物の顔画像を全て登録したか否かを確認することができる。確認した結果、未だ登録すべき顔画像がある場合には、再度顔画像登録モードを設定して前述と同様にシャッター操作を行えばよい。
【００４１】
なお、本実施の形態においては、人物の顔を撮影することにより、顔画像登録を行うようにしたが、再生モードを設定してメモリカード１８に記録されている画像を表示部１４に表示させ、この画像中に含まれている顔画像を領域指定して、顔画像登録テーブル１１１に登録するようにしてもよい。これにより、撮影処理を伴うことなく、顔画像の登録を行うことができる。
【００４２】
また、本実施の形態においては、顔画像登録モードで撮影した顔画像を顔画像登録テーブル１１１にのみ記録するようにしたが、通常の撮影と同様にメモリカード１８にも記録するようにしてもよい。これにより、顔画像登録時に撮影した顔画像も通常の撮影画像と同様に再生表示して観賞する等が可能となる。
【００４３】
他方、撮影漏れ防止撮影モード又は通常の撮影モードを設定すると、ＣＰＵ１３は、前記プログラムに従って動作することにより、図４のフローチャートに示すように処理を実行する。すなわち、ＣＣＤ４から取り込まれＤＲＡＭ１０に蓄積された１フレーム（画面）分の画像データに基づくスルー画像を表示部１４に表示する（ステップＳ１０１）。次に、シャッターキーが操作されたか否かを判断し（ステップＳ１０２）、シャッターキーが操作されると、撮影処理を実行して（ステップＳ１０３）、ＪＰＥＧ圧縮された画像データをメモリカード１８に記録する。
【００４４】
次に、前述した顔画像抽出処理を実行してメモリカード１８に記録した画像データである撮影画像から、顔画像を抽出する（ステップＳ１０４）。また、このステップＳ１０４での処理により顔画像が抽出できたか否かを判断し（ステップＳ１０５）、抽出できなかった場合には、ステップＳ１０９に進む。抽出できた場合には、この抽出した顔画像が顔画像登録テーブル１１１に登録されている顔画像であるか否かを判断する（ステップＳ１０６）。
【００４５】
このステップＳ１０６の判断に際しては、今回メモリカード１８に記録した撮影画像から抽出した顔領域と、これと比較する顔画像登録テーブル１１１に記録されている各顔画像とのマッチング、又は、相関度、類似度、類似距離、差分の算出などを行う。つまり、テンプレートとなる顔画像登録テーブル１１１に記録されている各顔画像の特徴データを算出し、撮影画像とのテンプレートマッチング、又は、各々の特徴データを比較して、相関度、類似度、類似距離などを算出する。そして、これら算出した値が所定値以上であった場合には、撮影画像に登録顔画像が含まれている、つまりステップＳ１０６はＹＥＳと判断し、所定値未満であった場合には、撮影画像に登録顔画像が含まれていない、つまりステップＳ１０６はＮＯと判断する。
【００４６】
なお、ステップＳ１０６での登録顔判断処理は、上述した手法によることなく他の判断処理手法を用いてもよい。
【００４７】
そして、今回メモリカード１８に記録した撮影画像中に登録顔画像が含まれていない場合には（ステップＳ１０６；ＮＯ）、ステップＳ１０７〜Ｓ１０９の処理を行うことなく、ステップＳ１１０に進む。また、今回メモリカード１８に記録した撮影画像中に登録顔画像が含まれている場合には、顔画像登録テーブル１１１において、含まれていると判断された登録顔画像の撮影済みフラグＦをＯＮにする（ステップＳ１０７）。
【００４８】
このとき、撮影画像中に複数の登録顔画像が含まれている場合には、各登録顔画像の撮影済みフラグＦをＯＮにする。なお、これとは逆に撮影画像中に複数の登録顔画像が含まれている場合であっても、いずれか１つの登録顔画像の撮影済みフラグＦのみをＯＮにするようにしてもよい。
【００４９】
引き続き、顔画像登録テーブル１１１において撮影済みフラグＦがＯＦＦとなっている登録顔画像である未撮影顔画像を検出し（ステップＳ１０８）、この検出した未撮影顔画像を表示部１４に表示する（ステップＳ１０９）。このステップＳ１０９での処理により、例えば図５（Ａ）に示すように、撮影済みフラグＦがＯＦＦとなっている未撮影の登録顔画像はそのまま表示するとともに、撮影済みフラグＦがＯＮとなっている撮影済み登録顔画像上に「ＯＫ」を重畳表示する。又は、図５（Ｂ）に示すように、撮影済みフラグＦがＯＦＦとなっている未撮影の登録顔画像はそのまま表示するとともに、撮影済みフラグＦがＯＮとなっている撮影済み登録顔画像をぼかし表示する。
【００５０】
したがって、本実施の形態においては、登録顔画像が含まれている画像を撮影する都度、表示部１４には未撮影登録顔画像が表示される。したがって、ユーザは予め登録した者を撮影する都度、未撮影者を確認することができる。よって、ユーザは未撮影者が強く印象付けられ、以降において未撮影者を優先して撮影しようと意識し、その結果、撮影漏れなく予め登録した者の撮影を行うことができる。
【００５１】
そして、ステップＳ１０９に続くステップＳ１１０では、撮影モードから他のモードへのモード切替がなれる等による撮影終了指示があったか否かを判断する。撮影終了指示があるまで、ステップＳ１０１からの処理を繰り返し、撮影終了指示があった時点でこのフローチャートに従った処理を終了する。
【００５２】
なお、本実施の形態においては、ステップＳ１０３で撮影処理を行って撮影画像をメモリカード１８に記録した後、ステップＳ１０６で記録した撮影画像に登録顔画像が含まれているか否かを判断するようにした。しかし、シャッターキーが操作された時点では、撮影画像をＤＲＡＭ１０に保存しておき、撮影画像に登録顔画像が含まれていると判断された時点で、撮影画像をメモリカード１８に記録し、撮影画像に登録顔画像が含まれていないと判断された場合には、ＤＲＡＭ１０に保存した撮影画像をメモリカード１８に記録することなく消去するようにしてもよい。
【００５３】
これにより、登録顔画像が含まれている撮影画像のみをメモリカード１８に記録することができる。
【００５４】
また、本実施の形態においては、ステップＳ１０６の判断がＮＯであった場合、ステップＳ１１０に進むようにしたが、ステップＳ１０８に進むようにしてもよい。この場合、撮影画像に登録顔画像が含まれていなくても、撮影の都度、未撮影登録顔画像が表示されることなる。これにより、ユーザに予め登録した者の撮影を早期に行うべきことを促すことができる。
【００５５】
更に、ステップＳ１０９の未撮影情報表示を実行する時点も、撮影処理直後に限ることなく電源ＯＮ時、その日始めて撮影モードが設定された時点、その日始めてシャッターキーが操作された時点等、他の時点であってもよい。また、ステップＳ１０９での未撮影情報表示も図５に示した表示形態に限らず、他の表示形態で撮影済みと未撮影とを識別表示したり、撮影済みの登録顔画像のみを表示するようにしてもよい。
【００５６】
（第２の実施の形態）
図６（Ａ）は、本発明の第２の実施の形態における顔画像登録テーブル１１１を示す図である。この顔画像登録テーブル１１１には、顔画像を記憶するための登録領域が複数設けられているとともに、登録領域毎にカウンタＣが設けられている。このカウンタＣは、初期値「０」であって当該領域に記憶された登録顔画像が含まれている画像が撮影される毎にカウントアップするものである。
【００５７】
なお、以下に示す各実施の形態において、顔登録モード処理は図３のフローチャートに示した第１の実施の形態と同様の手順で行う。
【００５８】
図７は、本実施の形態における撮影モード処理の処理手順を示すフローチャートである。撮影漏れ防止撮影モード又は通常の撮影モードを設定すると、ＣＰＵ１３は、前記プログラムに従って動作することにより、このフローチャートに示すように処理を実行する。すなわち、ＣＣＤ４から取り込まれＤＲＡＭ１０に蓄積された１フレーム（画面）分の画像データに基づくスルー画像を表示部１４に表示する（ステップＳ２０１）。次に、シャッターキーが操作されたか否かを判断し（ステップＳ２０２）、シャッターキーが操作されると、撮影処理を実行して（ステップＳ２０３）、ＪＰＥＧ圧縮された画像データをメモリカード１８に記録する。
【００５９】
次に、前述した顔画像抽出処理を実行してメモリカード１８に記録した画像データである撮影画像から、顔画像を抽出する（ステップＳ２０４）。また、このステップＳ２０４での処理により顔画像が抽出できたか否かを判断し（ステップＳ２０５）、抽出できなかった場合には、ステップＳ２０９に進む。抽出できた場合には、この抽出した顔画像が、顔画像登録テーブル１１１に登録されているいずれかの顔画像であるか否かを判断する（ステップＳ２０６）。そして、今回メモリカード１８に記録した撮影画像中に登録顔画像が含まれていない場合には（ステップＳ２０６；ＮＯ）、ステップＳ２０７及びＳ２０８の処理を行うことなく、ステップＳ２０９に進む。また、今回メモリカード１８に記録した撮影画像中に登録顔画像が含まれている場合には、顔画像登録テーブル１１１において、含まれていると判断された登録顔画像のカウンタＣをカウントアップさせる（ステップＳ２０７）。
【００６０】
このとき、撮影画像中に複数の登録顔画像が含まれている場合には、各登録顔画像のカウンタＣをカウントアップさせる。なお、これとは逆に撮影画像中に複数の登録顔画像が含まれている場合であっても、いずれか１つの登録顔画像のカウンタＣのみをカウントアップさせるようにしてもよい。
【００６１】
引き続き、撮影枚数表示処理を実行する（ステップＳ２０８）。このステップＳ２０８での処理より、図６（Ｂ）に示すように、顔画像登録テーブル１１１に登録されている顔画像を表示部１４に表示するとともに、各顔画像上に対応するカウンタＣの値を重畳表示する。
【００６２】
したがって、本実施の形態においては、登録顔画像が含まれている画像を撮影する都度、表示部１４には登録顔画像毎に、当該登録顔画像が含まれている撮影画像の枚数が表示される。したがって、ユーザは予め登録した者を撮影する都度、各登録者の撮影枚数を確認することができる。よって、ユーザは各登録者の撮影枚数が強く印象付けられ、以降において撮影されていない者や撮影枚数が少ない者を優先して撮影しようと意識し、撮影漏れなくかつ均等に、予め登録した者の撮影を行うことができる。
【００６３】
そして、ステップＳ２０８続くステップＳ２０９では、撮影モードから他のモードへのモード切替がなされる等による撮影終了指示があったか否かを判断する。撮影終了指示があるまで、ステップＳ２０１からの処理を繰り返し、撮影終了指示があった時点でこのフローチャートに従った処理を終了する。
【００６４】
なお、本実施の形態においては、ステップＳ２０６の判断がＮＯであった場合、ステップＳ２０９に進むようにしたが、ステップＳ２０８に進むようにしてもよい。この場合、撮影画像に登録顔画像が含まれていなくても、撮影の都度、登録者の撮影枚数が表示されることなる。これにより、ユーザに予め登録した者の撮影を早期に行うべきことを促すことができる。
【００６５】
また、ステップＳ２０８の未撮影枚数表示を実行する時点も、撮影処理直後に限ることなく電源ＯＮ時、その日始めて撮影モードが設定された時点、その日始めてシャッターキーが操作された時点等、他の時点であってもよい。また、ステップＳ２０８での枚数表示も図６（Ｂ）に示した重畳表示に限らず、側部に表示する等他の表示形態であってもよい。
【００６６】
（第３の実施の形態）
図８は、本発明の第３の実施の形態における撮影モード処理の処理手順を示すフローチャートである。なお、この実施の形態における顔画像登録テーブル１１１は、図２（Ｃ）に示した第１の実施の形態と同様であり、登録領域毎に撮影済みフラグＦが設けられている。また、図８のフローチャートにおいて、ステップＳ３０７〜Ｓ３１５の処理は、図４に示した第１の実施の形態のフローチャートにおけるステップＳ１０２〜Ｓ１１０の処理と同一である。したがって、ステップＳ１０７と同一の処理であるＳ３１２の処理により、メモリカード１８に記録した撮影画像中に登録顔画像が含まれている場合には、顔画像登録テーブル１１１において、含まれていると判断された登録顔画像の撮影済みフラグＦがＯＮにされている。
【００６７】
しかして、本実施の形態においては、表示部１４にスルー画像を表示し（ステップＳ３０１）、更にこの表示部１４に表示したスルー画像から顔画像を抽出する（ステップＳ３０２）。この顔画像の抽出は、ステップＳ１０４で説明した抽出処理により行えばよい。
【００６８】
また、この抽出処理により顔画像が抽出されたか否かを判断し（ステップＳ３０３）、抽出されなかった場合には、ステップＳ３０７に進む。顔画像が抽出された場合には、この抽出された顔画像と顔画像登録テーブル１１１に登録されている顔画像とを比較することにより、抽出された顔画像が登録顔画像であるか否かを判断する（ステップＳ３０４）。抽出された顔画像が登録顔画像である場合には、撮影済み、未撮影表示処理を実行する（ステップＳ３０５）。
【００６９】
すなわち、前述のように、メモリカード１８に記録した撮影画像中に登録顔画像が含まれている場合には、顔画像登録テーブル１１１において、含まれていると判断された登録顔画像の撮影済みフラグＦがＯＮにされている。したがって、顔画像登録テーブル１１１の撮影済みフラグＦを参照することにより、スルー画像から抽出された顔画像（登録顔画像）が、撮影済みであるか未撮影であるかを識別することができる。
【００７０】
そして、撮影済みであった場合には、図９（Ａ）に示すように、表示部１４に表示されているスルー画像上に、前記ステップＳ３０２で抽出した顔画像を囲繞する枠と「撮影済」の文字とを表示する。また、未撮影であった場合には、図９（Ｂ）に示すように、前記ステップＳ３０２で抽出した顔画像を囲繞する枠と「未撮影」の文字とを表示する。しかる後、シャッターキーが操作されたか否かを判断し（ステップＳ３０７）、シャッターキーが操作されるまで、ステップＳ３０１からの処理を繰り返す。
【００７１】
したがって、ステップＳ３０１からの処理が繰り返されることにより、スルー画像から複数の顔画像が抽出されるとともに、これら抽出された複数の顔画像が登録顔画像であれば、各顔画像に対してステップＳ３０５の処理が実行されることとなる。よって、スルー画像から複数の顔画像が抽出されるとともに、これら抽出された複数の顔画像が登録顔画像である場合には、図９（Ｄ）に示すように、顔画像毎にこれを囲繞する枠と「撮影済」又は「未撮影」の文字が表示される。
【００７２】
したがって、これら図９（Ａ）、（Ｂ）、（Ｃ）等のスルー画像を視認したユーザは、シャッターキーを操作する前に、未撮影の者と撮影済みの者とを識別することができ、より確実に撮影漏れなく予め登録した者の撮影を行うことができる。
【００７３】
他方、ステップＳ３０４の判断がＮＯであって、抽出された顔画像が登録顔画像でなかった場合には、未登録表示を実行する（ステップＳ３０６）。この未登録表示は、図９（Ｄ）に示すように、前記ステップＳ３０２で抽出した顔画像を囲繞する枠と「未登録」の文字とを表示することにより行う。
【００７４】
したがって、この未登録表示を視認したユーザは、未登録者であって敢えて撮影する必要がないと判断した場合には、画角等を変更して未登録者を除いた画像を撮影することができる。また、顔画像登録モードに設定変更することにより、未登録者の顔画像を新たに顔画像登録テーブル１１１に登録することも可能となる。
【００７５】
なお、顔画像毎にこれを囲繞する枠と文字とは、「撮影済」、「未撮影」、「未登録」に応じて異なる色で表示することが、識別性を確保する上で好ましい。
【００７６】
（第４の実施の形態）
図１０は、本発明の第４の実施の形態における撮影モード処理の処理手順を示すフローチャートである。なお、この実施の形態における顔画像登録テーブル１１１は、図６（Ａ）に示した第２の実施の形態と同様であり、登録領域毎にカウンタＣが設けられている。また、図１０のフローチャートにおいて、ステップＳ４０６〜Ｓ４１３の処理は、図７に示した第２の実施の形態のフローチャートにおけるステップＳ２０２〜Ｓ２０９の処理と同一である。したがって、ステップＳ２０７と同一の処理であるＳ４１１の処理により、メモリカード１８に記録した撮影画像中に登録顔画像が含まれている場合には、顔画像登録テーブル１１１において、含まれていると判断された登録顔画像のカウンタＣをカウントアップさせる。よって、各登録顔画像のカウンタＣは、当該登録顔画像が含まれている撮影画像の枚数を示している。
【００７７】
しかして、本実施の形態においては、表示部１４にスルー画像を表示し（ステップＳ４０１）、更に抽出処理によりこの表示部１４に表示したスルー画像から顔画像を抽出する（ステップＳ４０２）。また、この抽出処理により顔画像が抽出されたか否かを判断し（ステップＳ４０３）、抽出されなかった場合には、ステップＳ４０６に進む。顔画像が抽出された場合には、この抽出された顔画像と顔画像登録テーブル１１１に登録されている顔画像とを比較することにより、抽出された顔画像が登録顔画像であるか否かを判断する（ステップＳ４０４）。抽出された顔画像が登録顔画像である場合には、撮影枚数着色表示処理を実行する（ステップＳ４０５）。
【００７８】
すなわち、前述のように、各登録顔画像のカウンタＣは、当該登録顔画像が含まれている撮影画像の枚数を示している。したがって、各登録顔画像のカウンタＣを参照することにより、スルー画像から抽出された顔画像（登録顔画像）の撮影枚数を検出する。そして、図１１（Ａ）（Ｂ）に示すように、前記ステップＳ４０２で抽出した顔画像を囲繞する枠を表示するとともに、撮影枚数を示す文字を撮影枚数に応じた色で着色表示する。しかる後、シャッターキーが操作されたか否かを判断し（ステップＳ４０６）、シャッターキーが操作されるまで、ステップＳ４０１からの処理を繰り返す。
【００７９】
したがって、ステップＳ４０１からの処理が繰り返されることにより、スルー画像から複数の顔画像が抽出されるとともに、これら抽出された複数の顔画像が登録顔画像であれば、各顔画像に対してステップＳ４０５の処理が実行されることとなる。よって、スルー画像から複数の顔画像が抽出されるとともに、これら抽出された複数の顔画像が登録顔画像である場合には、図１１（Ａ）（Ｂ）に示すように、各顔画像毎にこれを囲繞する枠と、撮影枚数に応じた色で着色された撮影枚数を示す文字とが表示される。
【００８０】
この撮影枚数に応じた色で着色された撮影枚数を示す文字は例えば、
０枚：未撮影−赤表示
１〜２枚：撮影はしているが、枚数が少ない−黄表示
３枚以上：充分な枚数撮影している−青表示
である。
【００８１】
したがって、これらの着色された撮影枚数表示を視認したユーザは、色及び数値により撮影優先度を認識することができる。これより、撮影漏れなくかつ均等に、予め登録した者の撮影を行うことができる。
【００８２】
よって、第１及び第２の実施の形態によれば、撮影後の確認である事後確認を行いつつ撮影漏れなく、予め登録した者の撮影を行うことができ、第３及び第４の実施の形態によれば、撮影前の確認である事前確認を行いつつ撮影漏れなく、予め登録した者の撮影を行うことができることとなる。
【００８３】
（第５の実施の形態）
図１２は、本発明の第５の実施の形態におけるメモリ構成を示す図である。本実施の形態においてフラッシュメモリ１１には、（Ａ）に示す単独枚数メモリ１１２と、（Ｂ）に示す組合せ枚数メモリ１１３とが設けられている。単独枚数メモリ１１２は、撮影画像において前記顔画像登録テーブル１１１に記憶されたいずれか１人の顔画像のみが存在する場合に、当該顔画像とその撮影枚数を記憶するメモリである。組合せ枚数メモリ１１３は、撮影画像において前記顔画像登録テーブル１１１に記憶されたいずれか複数人の顔画像が存在する場合に、当該顔画像の組合せと当該組合せでの撮影枚数を記憶するメモリである。
【００８４】
図１３は、本実施の形態における撮影モード処理の処理手順を示すフローチャートである。撮影漏れ防止撮影モード又は通常の撮影モードを設定すると、ＣＰＵ１３は、前記プログラムに従って動作することにより、このフローチャートに示すように処理を実行する。すなわち、ＣＣＤ４から取り込まれＤＲＡＭ１０に蓄積された１フレーム（画面）分の画像データに基づくスルー画像を表示部１４に表示する（ステップＳ５０１）。次に、シャッターキーが操作されたか否かを判断し（ステップＳ５０２）、シャッターキーが操作されると、撮影処理を実行して（ステップＳ５０３）、ＪＰＥＧ圧縮された画像データをメモリカード１８に記録する。
【００８５】
次に、前述した顔画像抽出処理を実行してメモリカード１８に記録した画像データである撮影画像から、顔画像を抽出する（ステップＳ５０４）。このとき、顔画像が複数ある場合には、全ての顔画像を抽出する。また、このステップＳ５０４での処理により少なくとも１つの顔画像が抽出できたか否かを判断し（ステップＳ５０５）、抽出できなかった場合には、ステップＳ５１２に進む。抽出できた場合には、この抽出した顔画像が、顔画像登録テーブル１１１に登録されている登録顔画像に含まれているか否かを判断する（ステップＳ５０６）。
【００８６】
そして、今回メモリカード１８に記録した撮影画像中に登録顔画像が含まれていない場合には（ステップＳ５０６；ＮＯ）、ステップＳ５０７〜Ｓ５１１の処理を行うことなく、ステップＳ５１２に進む。また、今回メモリカード１８に記録した撮影画像中に登録顔画像が含まれている場合には、含まれている登録顔画像が複数であるか否か、つまり撮影画像が複数の登録者を撮影したものであるか否かを判断する（ステップＳ５０７）。撮影画像が複数の登録者を撮影したものではなく、単独の登録者を撮影した者である場合には、単独枚数メモリ１１２を更新する（ステップＳ５０８）。
【００８７】
すなわち、この登録者が今回初めて撮影され、その顔画像が未だ単独枚数メモリ１１２に記憶されていない場合には、顔画像登録テーブル１１１から読み出した当該登録者の顔画像と撮影枚数「１枚」とを単独枚数メモリ１１２に書き込んで、これを更新する。したがって、図１２（Ｃ）に示すように、単独の登録者が撮影され、その顔画像が未だ単独枚数メモリ１１２に記憶されていなかった場合には、図１２（Ａ）に示すように単独枚数メモリ１１２には、当該登録者の顔画像と撮影枚数「１枚」とが書き込まれる。また、登録者が再度撮影され、その顔画像が既に単独枚数メモリ１１２に記憶されている場合には、当該顔画像に対応する撮影枚数がインクリメントされる。
【００８８】
次に、メモリ内容表示処理を実行して、単独枚数メモリ１１２に記憶されている内容を表示部１４に表示する（ステップＳ５０９）。これにより表示部１４には、図１２（Ａ）に示したように、顔画像に対応して撮影枚数が表示される。
【００８９】
したがって、これを視認したユーザは、顔画像に対応した撮影枚数により、単独撮影における撮影優先度を認識することができ、撮影漏れなくかつ均等に、予め登録した者の単独撮影を行うことができる。
【００９０】
また、ステップＳ５０７での判断の結果、撮影画像が複数の登録者を撮影したものである場合には、組合せ枚数メモリ１１３を更新する（ステップＳ５０８）。すなわち、この登録者の組合せが今回初めて撮影され、その組合せ顔画像が未だ組合せ枚数メモリ１１３に記憶されていない場合には、顔画像登録テーブル１１１から読み出した当該複数の登録者の顔画像と撮影枚数「１枚」とを組合せ枚数メモリ１１３に書き込んで、これを更新する。したがって、図１２（Ｄ）（Ｅ）（Ｆ）に示すように、組合せで登録者が撮影され、その組合せ顔画像が未だ組合せ枚数メモリ１１３に記憶されていなかった場合には、図１２（Ｂ）に示すように組合せ枚数メモリ１１３には、当該登録者の組合せの顔画像と撮影枚数「１枚」とが書き込まれる。また、図１２（Ｇ）に示すように、当該組合せの登録者が再度撮影され、その顔画像が既に単独枚数メモリ１１２に記憶されている場合には、当該顔画像に対応する撮影枚数がインクリメントされる。
【００９１】
次に、メモリ内容表示処理を実行して、組合せ枚数メモリ１１３に記憶されている内容を表示部１４に表示する（ステップＳ５１１）。これにより表示部１４には、図１２（Ｂ）に示したように、組合せ顔画像に対応して撮影枚数が表示される。
【００９２】
したがって、これを視認したユーザは、組合せ顔画像に対応した撮影枚数により、組合せ撮影における撮影優先度を認識することができ、撮影漏れなくかつ均等に、予め登録した者の組合せ撮影を行うことができる。
【００９３】
なお、ステップＳ５０９とステップＳ５１１のメモリ内容表示処理においては、各々単独枚数メモリ１１２と組合せ枚数メモリ１１３の内容のみを表示するようにしたが、単独枚数メモリ１１２と組合せ枚数メモリ１１３の内容とを同一画面上に表示したり、時分割で表示するようにしてもよい。
【００９４】
また、本実施の形態の説明においては、撮影画像中に単独又は複数の登録者のみが存在する場合を示したが、撮影画像中に未登録者が含まれている場合であっても、前記フローチャートに従った処理で対応することができる。
【００９５】
（第６の実施の形態）
図１４は、本発明の第６の実施の形態における撮影モード処理の処理手順を示すフローチャートである。なお、この実施の形態における顔画像登録テーブル１１１は、図２（Ｃ）に示した第１の実施の形態と同様であり、登録領域毎に撮影済みフラグＦが設けられている。
【００９６】
しかして、本実施の形態においては、表示部１４にスルー画像を表示し（ステップＳ６０１）、更にこの表示部１４に表示したスルー画像から顔画像を抽出する（ステップＳ６０２）。この顔画像の抽出は、ステップＳ１０４で説明した抽出処理により行えばよい。
【００９７】
また、この抽出処理により顔画像が抽出されたか否かを判断し（ステップＳ６０３）、抽出されなかった場合には、ステップＳ６１２に進む。顔画像が抽出された場合には、この抽出された顔画像と顔画像登録テーブル１１１に登録されている顔画像とを比較することにより、抽出された顔画像が登録顔画像であるか否かを判断する（ステップＳ６０４）。抽出された顔画像が登録顔画像でない場合には、ステップＳ６１２に進む。抽出された顔画像が登録顔画像である場合には、対応する撮影済みフラグＦがＯＮであるか否かにより、撮影済みであるか否かを判断する（ステップＳ６０５）。対応する撮影済みフラグＦがＯＮであって、撮影済みである場合にはステップＳ６１２に進む。
【００９８】
また、対応する撮影済みフラグＦがＯＦＦであって、未撮影である場合には、登録顔画像とされたスルー画像中の顔が正面を向いているか否か（ステップＳ６０６）、スルー画像において前記顔が一定の大きさを超えたか否か（ステップＳ６０７）、スルー画像において前記顔が中央エリアに存在するか否か（ステップＳ６０８）、前記顔を有する被写体の動きが止まったか否か（ステップＳ６０９）を各々判断する。
【００９９】
なお、ステップＳ６０９での判断に際しては、前記顔を有する被写体において、例えば複数の画素で構成されるブロックに注目し、この注目したブロックの前後フレーム画像における移動ベクトルを算出し、この移動ベクトルの大きさがほぼ「０」となった場合に、動きが止まったと判断する。
【０１００】
そして、これらステップＳ６０６〜Ｓ６０９のいずれかの判断がＹＥＳとなった場合に、自動撮影を実行して（ステップＳ６１０）、ＪＰＥＧ圧縮された画像データをメモリカード１８に記録する。したがって、図１５に示すように、（Ａ）顔が正面を向いたとき、（Ｂ）顔の大きさが一定の大きさを超えた時、（Ｃ）顔が画面の中央エリアに来たとき、（Ｄ）前記被写体の動きが止まった時のいずれかの場合に、自動撮影が実行される。これにより、登録者が明瞭に撮影された撮影画像を記録することができる。
【０１０１】
しかも、撮影済みフラグＦがＯＦＦであって未撮影の登録者に対してのみ自動撮影が実行されることから、特定の者の撮影枚数が多くなることもなく、各登録者が撮影された撮影画像を記録することができる。よって、撮影漏れなくかつ明瞭に各登録者が撮影された画像を記録することができる。
【０１０２】
また、自動撮影を実行したならば、撮影済みフラグをＯＮにして、ステップＳ６１４に進む。他方、ステップＳ６０３、Ｓ６０４、Ｓ６０９の判断がＮＯであった場合、及びＳ６０５の判断がＹＥＳであった場合に続くステップＳ６１２においては、シャッターキーが操作されたか否かを判断し、シャッターキーが操作された場合には、撮影処理を実行する（ステップＳ６１３）。したがって、シャッターキーを操作することにより、手動撮影も行うことができる。
【０１０３】
そして、ステップＳ６１２がＮＯであってシャッターキーが操作されなかった場合、及びステップＳ６１１及びステップＳ６１３に続くステップＳ６１４では、撮影モードから他のモードへのモード切替がなれる等による撮影終了指示があったか否かを判断する。撮影終了指示があるまで、ステップＳ６０１からの処理を繰り返し、撮影終了指示があった時点でこのフローチャートに従った処理を終了する。
【０１０４】
なお、本実施の形態においては、ステップＳ６０５で撮影済みフラグに基づき撮影済みか否かを判断して、未撮影である場合に自動撮影を行うようにした。しかし、ステップＳ６０５で前記カウンタＣの値に基づき、撮影枚数が所定枚数以下か否かを判断し、所定枚数以下である場合に自動撮影を行うようにしてもよい。
【０１０５】
これにより、撮影漏れなく均等枚数でかつ明瞭に各登録者が撮影された画像を記録することができる。
【０１０６】
また、本実施の形態においては、ステップＳ６０１でスルー画像を表示させるようにしたが、スルー画像を表示させることなく、ステップＳ６０２〜Ｓ６１１及びステップＳ６１４の処理のみを行うようにしてもよい。
【０１０７】
また、各実施の形態においては、人物の顔画像を登録画像とする場合を示したが、登録画像は顔画像に限らず如何なる被写体であってもよい。
【０１０８】
なお、各実施の形態で用いたられた撮影済みフラグＦ及カウンタＣは、撮影モードでの処理開始時、又は撮影モードでの撮影終了時等にリセットすればよい。
【符号の説明】
【０１０９】
１  デジタルカメラ
９  ＪＰＥＧ符号化器
１０  ＲＡＭ
１１  フラッシュメモリ
１２  ＲＡＭ
１３  ＣＰＵ
１４  表示部
１５  キーブロック
１８  メモリカード
１１１  顔画像登録テーブル
１１２  単独枚数メモリ
１１３  組合せ枚数メモリ
【図１】
2011004409.tif 000003
【図２】
2011004409.tif 000004
【図３】
2011004409.tif 000005
【図４】
2011004409.tif 000006
【図５】
2011004409.tif 000007
【図６】
2011004409.tif 000008
【図７】
2011004409.tif 000009
【図８】
2011004409.tif 000010
【図９】
2011004409.tif 000011
【図１０】
2011004409.tif 000012
【図１１】
2011004409.tif 000013
【図１２】
2011004409.tif 000014
【図１３】
2011004409.tif 000015
【図１４】
2011004409.tif 000016
【図１５】
2011004409.tif 000017
【手続補正書】
【提出日】平成22年8月13日(2010.8.13)
【手続補正１】
【補正対象書類名】明細書
【補正対象項目名】０００６
【補正方法】変更
【補正の内容】
【０００６】
前記課題を解決するため請求項１記載の発明に係る撮像装置にあっては、複数の被写体を個々に記憶する被写体記憶手段と、順次撮像する撮像手段と、操作に応答して、前記撮像手段により撮像された画像を記録する画像記録手段と、この画像記録手段において、前記被写体記憶手段に記憶されている複数の被写体の組合せを含む画像の記録状況を検出する検出手段と、この検出手段により検出された画像の枚数を前記複数の被写体の組合せに対応させて表示する表示手段とを備えることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、請求項２記載の発明に係る撮像装置にあっては、前記検出手段は、更に前記画像記録手段において、前記被写体記憶手段に記憶されている単独の被写体を含む画像の枚数を検出し、前記表示手段は、更に前記検出手段により検出された画像の枚数を前記単独の被写体に対応させて表示することを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
また、請求項３記載の発明に係る撮像装置にあっては、操作に応答して、前記撮像手段により撮像された画像を取得する取得手段と、この取得手段により取得された画像から前記被写体を抽出して前記被写体記憶手段に記憶させる記憶制御手段とを備えることを特徴とする。
【手続補正１４】
【補正対象書類名】明細書
【補正対象項目名】００１９
【補正方法】変更
【補正の内容】
【００１９】
また、請求項４記載の発明に係る撮像装置にあっては、前記表示手段は、前記被写体記憶手段に記憶された被写体を一覧表示することを特徴とする。
【手続補正１５】
【補正対象書類名】明細書
【補正対象項目名】００２０
【補正方法】変更
【補正の内容】
【００２０】
また、請求項５記載の発明に係る表示制御プログラムにあっては、複数の被写体を個々に記憶する被写体記憶手段と、順次撮像する撮像手段と、操作に応答して、前記撮像手段により撮像された画像を記録する画像記録手段とを備える撮像装置が有するコンピュータを、前記画像記録手段において、前記被写体記憶手段に記憶されている複数の被写体の組合せを含む画像の記録状況を検出する検出手段と、この検出手段により検出された画像の枚数を前記複数の被写体の組合せに対応させて表示させる表示制御手段として機能させることを特徴とする。
【手続補正１６】
【補正対象書類名】明細書
【補正対象項目名】００２１
【補正方法】変更
【補正の内容】
【００２１】
また、請求項６記載の発明に係る表示制御方法にあっては、複数の被写体を個々に記憶する被写体記憶手段と、順次撮像する撮像手段と、操作に応答して、前記撮像手段により撮像された画像を記録する画像記録手段とを備える撮像装置における表示制御方法であって、前記画像記録手段において、前記被写体記憶手段に記憶されている複数の被写体の組合せを含む画像の記録状況を検出する検出ステップと、この検出ステップにより検出された画像の枚数を前記複数の被写体の組合せに対応させて表示する表示ステップとを含むことを特徴とする。
【手続補正１７】
【補正対象書類名】明細書
【補正対象項目名】００２２
【補正方法】削除
【補正の内容】
【手続補正１８】
【補正対象書類名】特許請求の範囲
【補正対象項目名】全文
【補正方法】変更
【補正の内容】
【特許請求の範囲】
【請求項１】
複数の被写体を個々に記憶する被写体記憶手段と、
順次撮像する撮像手段と、
操作に応答して、前記撮像手段により撮像された画像を記録する画像記録手段と、
この画像記録手段において、前記被写体記憶手段に記憶されている複数の被写体の組合せを含む画像の記録状況を検出する検出手段と、
この検出手段により検出された画像の枚数を前記複数の被写体の組合せに対応させて表示する表示手段と
を備えることを特徴とする撮像装置。
【請求項２】
前記検出手段は、更に前記画像記録手段において、前記被写体記憶手段に記憶されている単独の被写体を含む画像の枚数を検出し、
前記表示手段は、更に前記検出手段により検出された画像の枚数を前記単独の被写体に対応させて表示することを特徴とする請求項１記載の撮像装置。
【請求項３】
操作に応答して、前記撮像手段により撮像された画像を取得する取得手段と、
この取得手段により取得された画像から前記被写体を抽出して前記被写体記憶手段に記憶させる記憶制御手段と
を備えることを特徴とする請求項１又は２記載の撮像装置。
【請求項４】
前記表示手段は、前記被写体記憶手段に記憶された被写体を一覧表示することを特徴とする請求項３記載の撮像装置。
【請求項５】
複数の被写体を個々に記憶する被写体記憶手段と、順次撮像する撮像手段と、操作に応答して、前記撮像手段により撮像された画像を記録する画像記録手段とを備える撮像装置が有するコンピュータを、
前記画像記録手段において、前記被写体記憶手段に記憶されている複数の被写体の組合せを含む画像の記録状況を検出する検出手段と、
この検出手段により検出された画像の枚数を前記複数の被写体の組合せに対応させて表示させる表示制御手段と
して機能させることを特徴とする表示制御プログラム。
【請求項６】
複数の被写体を個々に記憶する被写体記憶手段と、順次撮像する撮像手段と、操作に応答して、前記撮像手段により撮像された画像を記録する画像記録手段とを備える撮像装置における表示制御方法であって、
前記画像記録手段において、前記被写体記憶手段に記憶されている複数の被写体の組合せを含む画像の記録状況を検出する検出ステップと、
この検出ステップにより検出された画像の枚数を前記複数の被写体の組合せに対応させて表示する表示ステップと
を含むことを特徴とする表示制御方法。